【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
リグノセルロース複合材料製品に耐水性を付与するのに有用なエマルジョンであって、
少なくとも一種類のワックスと、
アルキルフェノールと、
ポリナフタレンスルホン酸と
アルカリ金属水酸化物と
水と、
デンプン複合体と、
を備えることを特徴とするエマルジョン。
【請求項２】
前記ワックスのうち少なくとも１種類以上が鹸化可能なワックスであることを特徴とする請求項１に記載のエマルジョン。
【請求項３】
アルカリ金属水酸化物が水酸化ナトリウムおよび水酸化カリウムからなる群より選ばれることを特徴とする請求項１に記載のエマルジョン。
【請求項４】
アルキルフェノールがＣ２４−Ｃ３４のメチレンが結合したアルキルフェノールであることを特徴とする請求項１に記載のエマルジョン。
【請求項５】
デンプン複合体がデンプンならびにホウ酸塩化合物およびモリブデン化合物からなる群から選ばれる錯化剤との複合体であることを特徴とする請求項１に記載のエマルジョン。
【請求項６】
錯化剤が四ホウ酸ナトリウム十水塩であることを特徴とする請求項５に記載のエマルジョン。
【請求項７】
デンプン複合体が、無修飾デンプン、酸修飾デンプン、ヒドロキシエチル化デンプン、酸化デンプンおよびカチオン化デンプンからなる群より選ばれることを特徴とする請求項５に記載のエマルジョン。
【請求項８】
デンプン複合体が酸修飾デンプンであることを特徴とする請求項５に記載のエマルジョン。
【請求項９】
錯化剤とデンプンとの比が、重量を基準として、約１：４から約１：２０であることを特徴とする請求項７に記載のエマルジョン。
【請求項１０】
リグノセルロース複合材料製品に耐水性を付与するのに有用なエマルジョンを製造する方法であって、
(a)少なくとも一種類のワックスおよびアルキルフェノールを混合して、第１のプレミックスを用意する工程と、
(b) ポリナフタレンスルホン酸、アルカリ金属水酸化物、水およびデンプン複合体を混合して、第２のプレミックスを用意する工程と、
(c)第１のプレミックスおよび第２のプレミックスを混合して、混合物を用意する工程と、
(d)混合物を均質化する工程と、
を含むことを特徴とするエマルジョン製造方法。
【請求項１１】
アルカリ金属水酸化物が水酸化ナトリウムおよび水酸化カリウムからなる群より選ばれることを特徴とする請求項１０に記載のエマルジョン製造方法。
【請求項１２】
前記(a)工程および(b)工程が、第１のプレミックスおよび第２のプレミックスを約１８５°Ｆから約１９５°Ｆに加熱する工程をさらに含むことを特徴とする請求項１０に記載のエマルジョン製造方法。
【請求項１３】
前記(d)工程が、少なくとも３５００ｐｓｉの圧力下で実行されることを特徴とする請求項１０に記載のエマルジョン製造方法。
【請求項１４】
アルキルフェノールがＣ２４−Ｃ３４のメチレンが結合したアルキルフェノールであることを特徴とする請求項１０に記載のエマルジョン製造方法。
【請求項１５】
デンプン複合体がデンプンならびにホウ酸塩化合物およびモリブデン化合物からなる群から選ばれる錯化剤との複合体であることを特徴とする請求項１０に記載のエマルジョン製造方法。
【請求項１６】
錯化剤が四ホウ酸ナトリウム十水塩であることを特徴とする請求項１５に記載のエマルジョン製造方法。
【請求項１７】
デンプン複合体が、無修飾デンプン、酸修飾デンプン、ヒドロキシエチル化デンプン、酸化デンプンおよびカチオン化デンプンからなる群より選ばれることを特徴とする請求項１５に記載のエマルジョン製造方法。
【請求項１８】
デンプン複合体が酸修飾デンプンであることを特徴とする請求項１５に記載のエマルジョン製造方法。
【請求項１９】
錯化剤とデンプンとの比が、重量を基準として、約１：４から約１：２０であることを特徴とする請求項１７に記載のエマルジョン製造方法。
【請求項２０】
リグノセルロース複合材料製品に耐水性を付与するのに有用なエマルジョンであって、
エマルジョンの全重量を基準として約２５重量％から約４０重量％の量の少なくとも一種類のワックスと、
エマルジョンの全重量を基準として約２．５重量％から約４．５重量％の量の鹸化可能なワックスと、
エマルジョンの全重量を基準として約０．２５重量％から約１０．０重量％の量のアルキルフェノールと、
エマルジョンの全重量を基準として約０．２５重量％から約５．０重量％の量のポリナフタレンスルホン酸と、
エマルジョンの全重量を基準として約５５重量％から約６５重量％の量の水と、
エマルジョンの全重量を基準として約０．５重量％から約１．５重量％の量のアルカリ金属水酸化物と、
エマルジョンの全重量を基準として約１．５重量％から約３．５重量％の量のデンプン複合体とを含み、
前記デンプン複合体が、デンプンならびにホウ酸塩化合物およびモリブデン化合物からなる群から選ばれる錯化剤を含み、
前記デンプンと前記錯化剤とが、約４：１から約２０：１の重量比を有することを特徴とするエマルジョン。
【請求項２１】
請求項１に記載のエマルジョンを含むことを特徴とするリグノセルロース複合材料製品。
【請求項２２】
前記リグノセルロース複合材料製品が配向性ストランドボードであることを特徴とする請求項２１に記載のリグノセルロース複合材料製品。
【請求項２３】
前記リグノセルロース複合材料製品がパーティクルボードであることを特徴とする請求項２１に記載のリグノセルロース複合材料製品。
【請求項２４】
前記リグノセルロース複合材料製品がファイバーボードであることを特徴とする請求項２１に記載のリグノセルロース複合材料製品。
【請求項２５】
リグノセルロース複合材料製品に耐水性を付与するのに有用なエマルジョンであって、
少なくとも一種類のワックスと、
アルキルフェノールと、
ポリナフタレンスルホン酸と、
アルカリ金属水酸化物と、
水と、
デンプンと
を備えることを特徴とするエマルジョン。
【請求項２６】
アルカリ金属水酸化物が水酸化ナトリウムおよび水酸化カリウムからなる群より選ばれることを特徴とする請求項２５に記載のエマルジョン。
【請求項２７】
アルキルフェノールがＣ２４−Ｃ３４のメチレンが結合したアルキルフェノールであることを特徴とする請求項２５に記載のエマルジョン。
【請求項２８】
デンプンが、無修飾デンプン、酸修飾デンプン、ヒドロキシエチル化デンプン、酸化デンプンおよびカチオン化デンプンからなる群より選ばれることを特徴とする請求項２５に記載のエマルジョン。
【請求項２９】
デンプンが酸修飾デンプンであることを特徴とする請求項２５に記載のエマルジョン。
【請求項３０】
請求項２５に記載のエマルジョンを含むリグノセルロース複合材料製品。
【請求項３１】
リグノセルロース複合材料製品が配向性ストランドボードであることを特徴とする請求項３０に記載のリグノセルロース複合材料製品。
【請求項３２】
リグノセルロース複合材料製品がパーティクルボードであることを特徴とする請求項３０に記載のリグノセルロース複合材料製品。
【請求項３３】
リグノセルロース複合材料製品がファイバーボードであることを特徴とする請求項３０に記載のリグノセルロース複合材料製品。
【請求項３４】
請求項１乃至９のいずれか１項に記載のエマルジョンとリグノセルロース材料とを混合することを特徴とするリグノセルロース複合材料製品への耐水性付与方法。